(57)【要約】【課題】  子機の周囲で異変があったときに、その異変を報知するか否かを設定することができるホームセキュリティ装置を提供する。【解決手段】  ファクシミリ装置２と、ファクシミリ装置２と通信可能なコードレス子機３とを含み、これらはコードレス子機３の周囲で異変があることを報知する出力部を有する。コードレス子機３は、その周囲の動体物を検出して、コードレス子機３の周囲で異変があることを表す異変情報を生成する検知センサと、異変情報が生成されると、周囲の状況を撮影するカメラと、異変情報ならびに撮影手段によって撮影された周囲の状況および撮影された日時を含む画像情報をファクシミリ装置２に送信するＲＦ部とを有する。ファクシミリ装置２は、コードレス子機３からの異変情報および画像情報を受信するＲＦ部を有する。各出力部は、異変情報が生成されたときに、コードレス子機３の周囲で異変があることを報知するか否かが設定される。【選択図】      図１
2005227885.tif 000002
【特許請求の範囲】
【請求項１】
予め定める通信回線に接続され電話機能を有する親機と、親機と通信可能な子機とを含み、親機および子機のうち少なくともいずれか一方は、子機の周囲で異変があることを報知する報知手段を有するホームセキュリティ装置であって、
子機は、子機の周囲の動体物を検出して、子機の周囲で異変があることを表す異変情報を生成する動体物検出手段と、動体物検出手段によって異変情報が生成されると、周囲の状況を撮影する撮影手段と、異変情報ならびに撮影手段によって撮影された周囲の状況および撮影された日時を含む画像情報を親機に送信する子機通信手段とを有し、
親機は、子機からの異変情報および画像情報を受信する親機通信手段を有し、
報知手段は、異変情報が生成されたときに、子機の周囲で異変があることを報知するか否かを設定する設定部を有することを特徴とするホームセキュリティ装置。
【請求項２】
親機および子機のうち少なくともいずれか一方は、画像情報を記憶する記憶手段をさらに有することを特徴とする請求項１記載のホームセキュリティ装置。
【請求項３】
親機は、子機からの画像情報を記録紙に画像形成する画像形成手段をさらに有することを特徴とする請求項１記載のホームセキュリティ装置。
【請求項４】
親機は、子機からの画像情報を表示する表示手段をさらに有することを特徴とする請求項１記載のホームセキュリティ装置。
【請求項５】
子機は、周囲の照度を検出する照度検出手段をさらに有し、報知手段の設定部は、照度が予め定める基準値以上であるとき、子機の周囲で異変があることを報知しないように設定し、照度が前記基準値未満であるとき、子機の周囲で異変があることを報知するように設定することを特徴とする請求項１記載のホームセキュリティ装置。
【請求項６】
報知手段の設定部は、前記通信回線介して親機と通信する電話装置から設定解除情報を受信すると、子機の周囲で異変があることを報知しないように設定することを特徴とする請求項１記載のホームセキュリティ装置。
【請求項７】
報知手段は、鳴動することによって、子機の周囲で異変があることを報知することを特徴とする請求項１記載のホームセキュリティ装置。
【請求項８】
報知手段は、発光することによって、子機の周囲で異変があることを報知することを特徴とする請求項１記載のホームセキュリティ装置。
【請求項９】
報知手段は、振動することによって、子機の周囲で異変があることを報知することを特徴とする請求項１記載のホームセキュリティ装置。
【請求項１０】
屋外に配置され、異変情報を受信する通信部と、異変情報に基づいて子機の周囲で異変があることを報知する報知部とを有する屋外報知構成体をさらに含むことを特徴とする請求項１記載のホームセキュリティ装置。
【発明の詳細な説明】
【技術分野】
【０００１】
本発明は、電話装置を利用するホームセキュリティ装置に関する。
【背景技術】
【０００２】
遠隔地の情況を、たとえばその遠隔地に設けられるカメラで撮影して、通信システムを用いてその情況を集中管理室に送信して、集中管理室において遠隔地の情況を把握して適切な管理を行うシステムは、ダム、道路交通、旅客などで利用されている。しかしこのようなシステムを構築するためには、多大な初期投資および維持管理費が必要となる。これに対して、初期費用および維持管理費用が少ない電話装置を用いたホームセキュリティシステムが考えられている。
【０００３】
そのような典型的な従来技術が特許文献１に記載されている。特許文献１の防犯システムでは、人体検出装置からの人体検出データと、振動検出装置からの振動データとに基づいて、推論装置でファジィ推論を行うことによって、異常であるか否かを判定する。
【０００４】
類似の従来技術が特許文献２に記載されている。特許文献２の住宅情報システムでは、火災報知機、ガス検出器および非常押釦などのセキュリティセンサを接続し、セキュリティセンサの異常検出に基づいて異常内容を表示部に表示するとともに、スピーカから音声メッセージを出力するセキュリティユニットと、外線電話、内線電話およびドアホン相互間の通信機能を持つとともに、セキュリティユニットからの異常検出信号を受信したときに、内線電話を通常の呼出音とは異なる警報呼出音で呼出す構内交換部を備えるテレホンコントローラとが設けられる。
【０００５】
さらに類似の従来技術が特許文献３に記載されている。特許文献３の監視システムでは、被監視部位にビデオカメラおよびマイクロフォンを設置し、マイクロフォンからの音響レベルが所定値を超えた場合に、カメラからの時間毎の画像を所定時間毎にＴＶチューナおよびビデオキャプチャボードによってキャプチャして、キャプチャされた画像をモデムから携帯電話に発信するとともに、カメラの撮影画像をビデオレコーダに格納する。
【０００６】
さらに類似の従来技術が特許文献４に記載されている。特許文献４の監視用携帯電話および監視システムでは、異常検出センサを備える監視用携帯電話によって異常が検出されると、電話またはＥメールによって着信側携帯電話などに警報を発する。
【０００７】
さらに類似の従来技術が特許文献５に記載されている。特許文献５の室内異常警報方式では、温度センサを有する室内内線電話機で室内の異常を検出し、室内内線電話機からのアラーム信号に基づいて内線電話機または中継台を呼出して非常事態を知らせる。
【０００８】
さらに類似の従来技術が特許文献６に記載されている。特許文献６のコードレス電話機を用いたセキュリティシステムでは、コードレス電話機の子機に赤外線センサを内蔵し、防犯セット状態において子機の赤外線センサが侵入者を検知すれば、子機および親機で一斉に警報音を鳴らすなどの防犯対応を行う。
【０００９】
さらに類似の従来技術が特許文献７に記載されている。特許文献７の電話装置を用いた警報システムでは、局線に接続される主電話回路は、主電話回路に電話線を介して接続される電話子機に対する呼出信号発信回路部を備え、主電話回路による電話子機の発着通話動作の実行を制御する制御回路は、警報センサの移報入力部を備え、警報センサの出力がオンであるときに呼出信号発信回路部を通話線に接続して電話子機を鳴動させる。
【００１０】
【特許文献１】特開平４−２７７８９７号公報
【特許文献２】特開平４−２２００５４号公報
【特許文献３】特開２００２−１５８９９６号公報
【特許文献４】特開２００３−１１５９４９号公報
【特許文献５】特開平４−３３４２５２号公報
【特許文献６】特開平７−７９２９１号公報
【特許文献７】特開昭６４−８５２号公報
【発明の開示】
【発明が解決しようとする課題】
【００１１】
このような電話装置を用いた従来のホームセキュリティシステムでは、侵入者を検出するなどの異常が検出されると、電話装置の親機および／または子機から警報音が発せられるものがある。このように警報音を発することによって、侵入者を撃退することが可能ではあるけれども、場合によっては、侵入者が警報音によって逆上して、家に居る人に危害を加える可能性もある。
【００１２】
本発明の目的は、子機の周囲で異変があったときに、その異変を報知するか否かを設定することができるホームセキュリティ装置を提供することである。
【課題を解決するための手段】
【００１３】
本発明は、予め定める通信回線に接続され電話機能を有する親機と、親機と通信可能な子機とを含み、親機および子機のうち少なくともいずれか一方は、子機の周囲で異変があることを報知する報知手段を有するホームセキュリティ装置であって、
子機は、子機の周囲の動体物を検出して、子機の周囲で異変があることを表す異変情報を生成する動体物検出手段と、動体物検出手段によって異変情報が生成されると、周囲の状況を撮影する撮影手段と、異変情報ならびに撮影手段によって撮影された周囲の状況および撮影された日時を含む画像情報を親機に送信する子機通信手段とを有し、
親機は、子機からの異変情報および画像情報を受信する親機通信手段を有し、
報知手段は、異変情報が生成されたときに、子機の周囲で異変があることを報知するか否かを設定する設定部を有することを特徴とするホームセキュリティ装置である。
【００１４】
また本発明は、親機および子機のうち少なくともいずれか一方は、画像情報を記憶する記憶手段をさらに有することを特徴とする。
【００１５】
また本発明は、親機は、子機からの画像情報を記録紙に画像形成する画像形成手段をさらに有することを特徴とする。
【００１６】
また本発明は、親機は、子機からの画像情報を表示する表示手段をさらに有することを特徴とする。
【００１７】
また本発明は、子機は、周囲の照度を検出する照度検出手段をさらに有し、報知手段の設定部は、照度が予め定める基準値以上であるとき、子機の周囲で異変があることを報知しないように設定し、照度が前記基準値未満であるとき、子機の周囲で異変があることを報知するように設定することを特徴とする。
【００１８】
また本発明は、報知手段の設定部は、前記通信回線を介して親機と通信する電話装置から設定解除情報を受信すると、子機の周囲で異変があることを報知しないように設定することを特徴とする。
【００１９】
また本発明は、報知手段は、鳴動することによって、子機の周囲で異変があることを報知することを特徴とする。
【００２０】
また本発明は、報知手段は、発光することによって、子機の周囲で異変があることを報知することを特徴とする。
【００２１】
また本発明は、報知手段は、振動することによって、子機の周囲で異変があることを報知することを特徴とする。
【００２２】
また本発明は、屋外に配置され、異変情報を受信する通信部と、異変情報に基づいて子機の周囲で異変があることを報知する報知部とを有する屋外報知構成体をさらに含むことを特徴とする。
【発明の効果】
【００２３】
本発明によれば、子機の動体物検出手段は、子機の周囲の動体物を検出して、子機の周囲で異変があることを表す異変情報を生成する。子機の撮影手段は、動体物検出手段によって異変情報が生成されると、周囲の状況を撮影する。子機の子機通信手段は、異変情報ならびに撮影手段によって撮影された周囲の状況および撮影された日時を含む画像情報を親機に送信する。親機の親機通信手段は、子機からの異変情報および画像情報を受信する。親機および子機のうち少なくともいずれか一方が有する報知手段は、異変情報が生成されたときに、子機の周囲で異変があることを報知するか否かを設定する設定部を有する。子機の周囲で不法侵入者などの動体物が検出された場合、たとえば鳴動などによって報知手段が子機の周囲での異変を報知すれば、前記不法侵入者はそれに驚いて退散する可能性がある。しかしこのように報知することによって、前記不法侵入者が逆上して、ホームセキュリティ装置が配置される家屋の住人に危害を加える可能性もある。したがって利用者は、これらの可能性を考慮して、子機の周囲で異変があることを報知するか否かを設定することによって利便性を向上することができる。
【００２４】
また本発明によれば、記憶手段は、画像情報を記憶する。このように記憶される画像情報に基づいて、後に子機の周囲で起こった異変を調査して、動体物である不法侵入者を特定するための助けとすることができる。
【００２５】
また本発明によれば、親機の画像形成手段は、子機からの画像情報を記録紙に画像形成する。このように記録紙に画像形成される画像情報に基づいて、後に子機の周囲で起こった異変を調査して、動体物である不法侵入者を特定するための助けとすることができる。
【００２６】
また本発明によれば、親機の表示手段は、子機からの画像情報を表示する。このように表示される画像情報に基づいて、後に子機の周囲で起こった異変を調査して、動体物である不法侵入者を特定するための助けとすることができる。
【００２７】
また本発明によれば、子機は、周囲の照度を検出する照度検出手段をさらに有し、報知手段の設定部は、照度が予め定める基準値以上であるとき、子機の周囲で異変があることを報知しないように設定し、照度が前記基準値未満であるとき、子機の周囲で異変があることを報知するように設定する。これによって夜間、住人が起きている間は電灯が灯されていることによって子機の周囲の照度が基準値以上となり、報知手段の設定部は、子機の周囲で異変があることを報知しないように自動的に設定することができる。また夜間、住人が寝ている間は電灯が消されていることによって子機の周囲の照度が基準値未満となり、報知手段の設定部は、子機の周囲で異変があることを報知するように自動的に設定することができる。
【００２８】
また本発明によれば、報知手段の設定部は、前記通信回線を介して親機と通信する電話装置から設定解除情報を受信すると、子機の周囲で異変があることを報知しないように設定する。外出中の住人が、帰宅前に電話装置から前記通信回線を介して親機に設定解除情報を与えておくことによって、住人が帰宅したときに報知手段が誤って住人の帰宅を異変として報知してしまうことを防止することができる。
【００２９】
また本発明によれば、報知手段は、鳴動することによって、子機の周囲で異変があることを報知するので、住人は鳴動を聞くことによって容易に異変を知ることができる。
【００３０】
また本発明によれば、報知手段は、発光することによって、子機の周囲で異変があることを報知するので、住人は発光を見ることによって容易に異変を知ることができる。
【００３１】
また本発明によれば、報知手段は、振動することによって、子機の周囲で異変があることを報知するので、住人は振動を感じることによって容易に異変を知ることができる。
【００３２】
また本発明によれば、屋外報知構成体は、屋外に配置され、異変情報を受信する通信部と、異変情報に基づいて子機の周囲で異変があることを報知する報知部とを有する。これによって屋外にいる人が、その家屋において異変が起こっていることを知ることができる。
【発明を実施するための最良の形態】
【００３３】
図１は、本発明の実施の一形態のホームセキュリティシステム１を説明するための図である。ホームセキュリティ装置であるホームセキュリティシステム１は、親機であるファクシミリ装置２と、子機であるコードレス子機３と、屋外報知構成体である外部警報機４を含んで構成される。ファクシミリ装置２は、たとえば家屋５の２階５Ａに設置され、コードレス子機は、家屋５の１階５Ｂに設置され、外部警報機４は、家屋５の外壁５Ｃに設置される。
【００３４】
図２は、ファクシミリ装置２を示す斜視図である。図３は、ファクシミリ装置２の構成を示すブロック図である。ファクシミリ装置２は、予め定める通信回線に接続され電話機能およびファクシミリ機能を有し、コードレス子機３および外部警報機４と無線通信可能である。予め定める通信回線とは、電話回線、無線通信回線、光通信回線およびＬＡＮなどの公衆または私設の通信回線であってもよい。ファクシミリ装置２は、操作部６、記憶部７、表示部８、出力部９、ＲＦ部１０、画像形成部１１、マイコン１２およびハンドセット１３を含んで構成される。操作部６は、たとえばダイヤルキーおよび機能キーなどを含み、操作者の入力操作によって各種情報が入力される。記憶手段である記憶部７は、たとえば揮発性メモリおよび不揮発性メモリで実現され、各種情報を記憶する。表示手段である表示部８は、たとえば液晶表示装置で実現され、各種情報を表示する。報知手段である出力部９は、たとえばスピーカで実現され、鳴動して警報音を出力する。親機通信手段であるＲＦ部１０は、無線通信回路およびアンテナを含み、コードレス子機３および外部警報機４との無線通信を行う。画像形成手段である画像形成部１１は、たとえば熱転写方式の画像形成装置で実現され、他のファクシミリ装置からの画像およびコードレス子機３からの画像を記録紙に形成する。設定部として機能するマイコン１２は、たとえば中央演算処理装置（略称：ＣＰＵ）で実現され、ファクシミリ装置２を統括的に制御する。ハンドセット１３は、送話器および受話器を有し、通信回線を介して接続される他の電話装置およびコードレス子機３との間で通信される音声を入出力する。
【００３５】
図４は、コードレス子機３およびクレイドル１４を示す斜視図である。図５は、コードレス子機３の構成を示すブロック図である。コードレス子機３は、ファクシミリ装置２と無線通信可能である。コードレス子機３は、操作部１５、記憶部１６、カメラ１７、出力部１８、ＲＦ部１９、検知センサ２０、マイコン２１および送話器２２を含んで構成される。操作部１５は、たとえばダイヤルキーおよび機能キーなどを含み、操作者の入力操作によって各種情報が入力される。記憶手段である記憶部１６は、たとえば揮発性メモリおよび不揮発性メモリで実現され、各種情報を記憶する。撮影手段であるカメラ１７は、たとえばＣＣＤカメラで実現され、コードレス子機３の周囲の状況を撮影する。報知手段である出力部１８は、たとえばスピーカで実現され、鳴動して警報音を出力する。また出力部１８は、ファクシミリ装置２との間で通信される音声を出力する受話器の機能も有する。子機通信手段であるＲＦ部１９は、無線通信回路およびアンテナを含み、ファクシミリ装置２との無線通信を行う。動体物検出手段である検知センサ２０は、たとえば温度感知センサで実現され、コードレス子機３の周囲のたとえば人間の体温などの予め定める温度の動体物を検出して、コードレス子機３の周囲で異変があることを表す異変情報を生成する。設定部として機能するマイコン２１は、たとえば中央演算処理装置（略称：ＣＰＵ）で実現され、コードレス子機３を統括的に制御する。送話器２２は、ファクシミリ装置２との間で通信される音声を入力する。
【００３６】
クレイドル１４は、卓上などの略水平面上に設置され、コードレス子機３が立設するように保持する。このときコードレス子機３は、カメラ１７の撮影可能範囲および検知センサ２０の検出可能範囲が可及的最大となるように保持される。またクレイドル１４は、コードレス子機３のカメラ１７および検知センサ２０が、家屋５の玄関のドアまたは窓に面するように、コードレス子機３を保持する。クレイドル１４は、コードレス子機３に内蔵される充電池を充電する充電器としての機能を有していてもよい。
【００３７】
図６は、外部警報機４を示す斜視図である。図７は、外部警報機４の構成を示すブロック図である。外部警報機４は、出力部２３、ＲＦ部２４およびマイコン２５を含んで構成される。報知部である出力部２３は、たとえばスピーカで実現され、鳴動して警報音を出力する。通信部であるＲＦ部２４は、ファクシミリ装置２との無線通信を行う。マイコン２１は、たとえば中央演算処理装置（略称：ＣＰＵ）で実現され、外部警報機４を統括的に制御する。
【００３８】
図８は、ホームセキュリティシステム１の動作の手順を示すフローチャートである。ステップｓ０で手順が開始されて、ステップｓ１に進む。
【００３９】
ステップｓ１では、ホームセキュリティシステム１のファクシミリ装置２、コードレス子機３および外部警報機４は、待機状態、具体的には、コードレス子機３の検知センサ２０が周囲を監視している状態で、ステップｓ２に進む。
【００４０】
ステップｓ２では、コードレス子機３のマイコン２１は、検知センサ２０が周囲の動体物を検出して、コードレス子機３の周囲で異変があることを表す異変情報を生成したか否かを判断し、異変情報が生成された、すなわち異変があると判断するとステップｓ３に進み、異変情報が生成されてない、すなわち異変がないと判断するとステップｓ１に戻る。
【００４１】
ステップｓ３では、コードレス子機３のマイコン２１は、カメラを制御してコードレス子機３の周囲の状況を撮影し、撮影した日時をコードレス子機３の記憶部１６に記憶して、ステップｓ４に進む。
【００４２】
ステップｓ４では、コードレス子機３のマイコン２１は、コードレス子機３の出力部１８が、コードレス子機３の周囲で異変があることを報知するように設定されているか否かを判断し、設定されていると判断するとステップｓ５に進み、設定されていないと判断するとステップｓ６に進む。
【００４３】
ステップｓ５では、コードレス子機３のマイコン２１は、コードレス子機３の周囲で異変があることを報知するように出力部１８が鳴動するように制御して、ステップｓ６に進む。
【００４４】
ステップｓ６では、コードレス子機３のマイコン２１は、異変情報ならびにカメラ１７によって撮影された周囲の状況および撮影された日時を含む画像情報をファクシミリ装置２に送信するように設定されているか否かを判断し、設定されていると判断するとステップｓ７に進み、設定されていないと判断するとステップｓ１５に進む。
【００４５】
ステップｓ７では、コードレス子機３のマイコン２１は、異変情報および画像情報をファクシミリ装置２に送信するようにコードレス子機３のＲＦ部１９を制御して、ステップｓ８に進む。
【００４６】
ステップｓ８では、ファクシミリ装置２のＲＦ部１０がコードレス子機３からの異変情報および画像情報を受信すると、ファクシミリ装置２のマイコン１２は、ファクシミリ装置２の記憶部７に画像情報を記憶して、ステップｓ９に進む。
【００４７】
ステップｓ９では、ファクシミリ装置２のマイコン１２は、画像情報を記録紙に画像形成するように設定されているか否かを判断し、設定されていると判断するとステップｓ１０に進み、設定されていないと判断するとステップｓ１１に進む。
【００４８】
ステップｓ１０では、ファクシミリ装置２のマイコン１２は、画像情報を記録紙に画像形成するように画像形成部１１を制御して、ステップｓ１１に進む。
【００４９】
ステップｓ１１では、ファクシミリ装置２のマイコン１２は、ファクシミリ装置２の出力部９が、コードレス子機３の周囲で異変があることを報知するように設定されているか否かを判断し、設定されていると判断するとステップｓ１２に進み、設定されていないと判断するとステップｓ１３に進む。
【００５０】
ステップｓ１２では、ファクシミリ装置２のマイコン１２は、コードレス子機３の周囲で異変があることを報知するように出力部９が鳴動するように制御して、ステップｓ１３に進む。
【００５１】
ステップｓ１３では、ファクシミリ装置２のマイコン１２は、外部警報機４の出力部２３が、コードレス子機３の周囲で異変があることを報知するように設定されているか否かを判断し、設定されていると判断するとステップｓ１４に進み、設定されていないと判断するとステップｓ１６に進み、全ての手順を終了する。
【００５２】
ステップｓ１４では、ファクシミリ装置２のマイコン１２は、外部警報機４にコードレス子機３からの異変情報を送信するようにＲＦ部１０を制御し、外部警報機４のＲＦ部２４がファクシミリ装置２からの異変情報を受信すると、外部警報機４のマイコン２５は、コードレス子機３の周囲で異変があることを報知するように外部警報機４の出力部２３が鳴動するように制御して、ステップｓ１６に進み、全ての手順を終了する。
【００５３】
ステップｓ６において異変情報ならびにカメラ１７によって撮影された周囲の状況および撮影された日時を含む画像情報をファクシミリ装置２に送信するように設定されていないと判断されてステップｓ１５に進むと、ステップｓ１５では、コードレス子機３のマイコン２１は、画像情報をコードレス子機３の記憶部１６に記憶して、ステップｓ１６に進み、全ての手順を終了する。
【００５４】
前述のフローチャートにおけるコードレス子機３の出力部１８による異変の報知の可否の設定、コードレス子機３からファクシミリ装置２への異変情報および画像情報の送信の可否の設定、ファクシミリ装置２の画像形成部１１による画像情報の記録紙への画像形成の可否の設定、ファクシミリ装置２の出力部９による異変の報知の可否の設定、外部警報機４の出力部２３による異変の報知の可否の設定は、ホームセキュリティシステム１の利用者によって予めなされている。これらの設定は、利用者がファクシミリ装置２およびコードレス子機３の各操作部６，１５の少なくともいずれか一方を入力操作することで行われ、その内容は直接または無線通信によって転送されて、ファクシミリ装置２およびコードレス子機３の各マイコン１２，２１によって各記憶部７，１６に記憶される。
【００５５】
以上のように本実施の形態のホームセキュリティシステム１によれば、コードレス子機３の検知センサ２０は、コードレス子機３の周囲の動体物を検出して、コードレス子機３の周囲で異変があることを表す異変情報を生成する。コードレス子機３のカメラ１７は、検知センサ２０によって異変情報が生成されると、周囲の状況を撮影する。コードレス子機３のＲＦ部１９は、異変情報および画像情報をファクシミリ装置２に送信する。ファクシミリ装置２のＲＦ部１０は、コードレス子機３からの異変情報および画像情報を受信する。ファクシミリ装置２およびコードレス子機３には、異変情報が生成されたときに、コードレス子機３の周囲で異変があることを報知するか否かが予め設定されている。コードレス子機３の周囲で不法侵入者などの動体物が検出された場合、鳴動によってファクシミリ装置２およびコードレス子機３が、コードレス子機３の周囲での異変を報知すれば、前記不法侵入者はそれに驚いて退散する可能性がある。しかしこのように報知することによって、前記不法侵入者が逆上して、ホームセキュリティシステム１が配置される家屋５の住人に危害を加える可能性もある。したがって利用者は、これらの可能性を考慮して、コードレス子機３の周囲で異変があることを報知するか否かを設定することによって利便性を向上することができる。たとえば家屋５の１階５Ｂにあるコードレス子機３の出力部１８による異変の報知は行わず、家屋５の２階５Ａにあるファクシミリ装置２の出力部９による異変の報知を行うように設定しておけば、コードレス子機３の検知センサ２０によって検出された不法侵入者には気付かれずに、コードレス子機３とは別の部屋のファクシミリ装置２の周囲にいる住人だけが不法侵入者の存在を知り、速やかに警察に通報することができる。
【００５６】
また本実施の形態のホームセキュリティシステム１によれば、ファクシミリ装置２およびコードレス子機３の記憶部７は、画像情報を記憶する。このように記憶される画像情報に基づいて、後にコードレス子機３の周囲で起こった異変を調査して、動体物である不法侵入者を特定するための助けとすることができる。
【００５７】
また本実施の形態のホームセキュリティシステム１によれば、ファクシミリ装置２の画像形成部１１は、子機からの画像情報を記録紙に画像形成する。このように記録紙に画像形成される画像情報に基づいて、後に子機の周囲で起こった異変を調査して、動体物である不法侵入者を特定するための助けとすることができる。
【００５８】
また本実施の形態のホームセキュリティシステム１によれば、ファクシミリ装置２およびコードレス子機３の出力部９は、鳴動することによって、コードレス子機３の周囲で異変があることを報知するので、住人は鳴動を聞くことによって容易に異変を知ることができる。
【００５９】
また本実施の形態のホームセキュリティシステム１によれば、外部警報機４は、家屋５の屋外に配置され、そのＲＦ部２４は、ファクシミリ装置２からの異変情報を受信し、出力部２３は、異変情報に基づいてコードレス子機３の周囲で異変があることを報知する。これによって屋外にいる人が、その家屋５において異変が起こっていることを知ることができる。
【００６０】
本実施の形態のホームセキュリティシステム１において、コードレス子機３の周囲で異変があることを報知する出力部９，１８は、ファクシミリ装置２およびコードレス子機３に備えられるけれども、少なくともいずれか一方に備えられるようにしてもよい。また画像情報を記憶する記憶部７，１６は、ファクシミリ装置２およびコードレス子機３に備えられるけれども、少なくともいずれか一方に備えられるようにしてもよい。
【００６１】
また本実施の形態のホームセキュリティシステム１において、ファクシミリ装置２の表示部８は、コードレス子機３からの画像情報を表示するようにしてもよい。これによって前記表示部８に表示される画像情報に基づいて、後にコードレス子機３の周囲で起こった異変を調査して、動体物である不法侵入者を特定するための助けとすることができる。
【００６２】
また本実施の形態のホームセキュリティシステム１において、コードレス子機３は、周囲の照度を検出する照度検出手段をさらに有し、ファクシミリ装置２およびコードレス子機３の各マイコン１２，２１は、照度が予め定める基準値以上であるとき、コードレス子機３の周囲で異変があることを報知しないように設定し、照度が前記基準値未満であるとき、コードレス子機３の周囲で異変があることを報知するように設定するようにしてもよい。これによって夜間、住人が起きている間は電灯が灯されていることによってコードレス子機３の周囲の照度が基準値以上となり、前記マイコン１２，２１は、コードレス子機３の周囲で異変があることを報知しないように自動的に設定することができる。また夜間、住人が寝ている間は電灯が消されていることによってコードレス子機３の周囲の照度が基準値未満となり、前記マイコン１２，２１は、コードレス子機３の周囲で異変があることを報知するように自動的に設定することができる。
【００６３】
また本実施の形態のホームセキュリティシステム１において、ファクシミリ装置２およびコードレス子機３のマイコン１２，２１は、通信回線を介してファクシミリ装置２と通信する電話装置から設定解除情報を受信すると、コードレス子機３の周囲で異変があることを報知しないように設定するようにしてもよい。外出中の住人が、帰宅前に電話装置から通信回線を介してファクシミリ装置２に設定解除情報を与えておくことによって、住人が帰宅したときにコードレス子機３の検知センサ２０が誤って住人の帰宅を異変としてしまって異変情報を生成しても、ファクシミリ装置２、コードレス子機３および外部警報機４の各出力部９，１８，２３が誤った異変を報知してしまうことを防止することができる。ファクシミリ装置２に設定解除情報を与えた電話装置が住人のものであるか否かの判断は、ファクシミリ装置２に搭載される送信者受信記録機能を用いてもよい。送信者受信記録機能は、ファクシミリ装置２に送信してきた電話装置の電話番号を検出するので、予め住人の電話装置、たとえば携帯電話装置の電話番号を登録しておくことによって、設定解除情報を送信した電話装置が住人のものであるか否かを判断することができる。
【００６４】
また本実施の形態のホームセキュリティシステム１において、ファクシミリ装置２、コードレス子機３および外部警報機４の各出力部９，１８，２３は、鳴動することによってコードレス子機３の周囲で異変があることを報知するとしたけれども、たとえば各出力部９，１８，２３を電灯およびＬＥＤなどの光源にして、発光することによって、子機の周囲で異変があることを報知するようにしてもよい。住人は前記各出力部９，１８，２３の発光を見ることによって容易に異変を知ることができる。またファクシミリ装置２およびコードレス子機３の各出力部９，１８は、操作部６，１６のダイヤルキーの発光するバックライトで実現されてもよい。またファクシミリ装置２では、表示部８によって異変があることを報知するようにしてもよい。またコードレス子機３にも液晶表示装置などの表示手段を設けて、この表示手段によって異変があることを報知するようにしてもよい。
【００６５】
また本実施の形態のホームセキュリティシステム１において、ファクシミリ装置２およびコードレス子機３の出力部９，１８は、振動することによって、コードレス子機３の周囲で異変があることを報知するようにしてもよい。住人は振動を感じることによって容易に異変を知ることができる。
【００６６】
また本実施の形態のホームセキュリティシステム１において、コードレス子機３だけがカメラ１７および検知センサ２０を有するとしたけれども、ファクシミリ装置２が同様のカメラおよび検知センサを有してもよい。
【００６７】
また本実施の形態のホームセキュリティシステム１において、ファクシミリ装置２とコードレス子機３との間の通信は無線通信であるとしたけれども、有線通信であってもよい。また本実施の形態のホームセキュリティシステム１において、ファクシミリ装置２と外部警報機４との間の通信は無線通信であるとしたけれども、有線通信であってもよい。
【００６８】
また本実施の形態のホームセキュリティシステム１において、ホームセキュリティシステム１が設置される家屋５の玄関のドアに、正規の鍵でドアを開錠したか否かを検出する開錠検出手段を設け、正規の鍵でドアが開錠された場合、ファクシミリ装置２、コードレス子機３および外部警報機４の各出力部９，１８，２３が異変を報知しないように設定されるようにしてもよい。たとえばピッキングなどによって不法にドアが開錠された場合は、ファクシミリ装置２、コードレス子機３および外部警報機４の各出力部９，１８，２３が異変を報知する設定を解除しない。
【図面の簡単な説明】
【００６９】
【図１】本発明の実施の一形態のホームセキュリティシステム１を説明するための図である。
【図２】ファクシミリ装置２を示す斜視図である。
【図３】ファクシミリ装置２の構成を示すブロック図である。
【図４】コードレス子機３およびクレイドル１４を示す斜視図である。
【図５】コードレス子機３の構成を示すブロック図である。
【図６】外部警報機４を示す斜視図である。
【図７】外部警報機４の構成を示すブロック図である。
【図８】ホームセキュリティシステム１の動作の手順を示すフローチャートである。
【符号の説明】
【００７０】
１  ホームセキュリティシステム
２  ファクシミリ装置
３  コードレス子機
４  外部警報機
７  記憶部
８  表示部
９  出力部
１０  ＲＦ部
１１  画像形成部
１２  マイコン
１６  記憶部
１７  カメラ
１８  出力部
１９  ＲＦ部
２０  検知センサ
２１  マイコン
２３  出力部
２４  ＲＦ部
【図１】
2005227885.tif 000003
【図２】
2005227885.tif 000004
【図３】
2005227885.tif 000005
【図４】
2005227885.tif 000006
【図５】
2005227885.tif 000007
【図６】
2005227885.tif 000008
【図７】
2005227885.tif 000009
【図８】
2005227885.tif 000010